(57)【要約】  カム表面を有するカム部材を含むドアハンドルアセンブリの第１及び第２ハンドルによって独立して操作されるドアラッチ装置であって、カム表面によってハンドルの動きをカム部材の移動に変換することを容易にする。カム部材は、ラッチ部材に連結され、ラッチ部材を伸びた位置と引っ込んだ位置との間で動かせる。ドアロック構造は、第２ドアハンドルの移動を妨げることができる一方で、同時に第１ドアハンドルの移動を可能にする。
2010526223.tif 000002
【特許請求の範囲】
【請求項１】
実質的に互いに垂直に設けられた第１チャネル及び第２チャネルを有するベースと、前記第１チャネル内に配置された第１及び第２ラック部品と、ドアハンドルアセンブリのラッチに連結するように構成されたカム部材と、外面を定める中間部品とを含むドアラッチ装置であって、
前記第１及び第２ラック部品はそれぞれ、前記第１チャネルに沿って独立して移動可能であり、
前記カム部材は、前記第２チャネル内に配置され、前記第２チャネルに沿って移動可能であり、前記第２チャネルから離れて伸びる突起を含み、前記突起が、前記第１及び第２チャネルのそれぞれに対して斜めのカム表面を定め、
前記中間部品は、前記第１及び第２ラック部品の間に配置されて前記外面が前記カム表面と係合し、前記第１及び第２ラック部品のそれぞれが、前記中間部品を前記カム部材に向かって前記第１チャネルに沿った第１方向に独立して動かして、前記第２チャネルに沿った第２方向に前記カム部材を移動させるドアラッチ装置。
【請求項２】
前記第１ラック部品が、前記第１チャネルに沿って延在する一対の第１プロングを含み、前記第１プロングは離れており、かつ前記カム部材の周りに配置され、
前記第２ラック部品が、前記第１チャネルに沿って延在する一対の第２プロングを含み、前記第２プロングは離れており、かつ前記カム部材の周りに配置され、前記第２プロングが、前記第１プロングと前記カム部材との間に配置される請求項１に記載のドアラッチ装置。
【請求項３】
前記第１プロングはそれぞれ、前記第１チャネルに沿って伸びる第１スロットを含み、
前記第２プロングはそれぞれ、前記第１チャネルに沿って伸びる第２スロットを含み、
前記中間部品は、前記第１プロングの間及び第２プロングの間に配置され、前記第１及び第２スロット内に伸び、前記中間部品は、前記第１及び第２ラック部品の一方が前記中間部品を動かす時に、前記第１及び第２ラック部品の他方に対して動き、かつ前記第１及び第２スロットのうちのその他方のスロットに沿って動く請求項２に記載のドアラッチ装置。
【請求項４】
前記中間部品が、前記第１及び第２スロットに伸びるロッド部分と、前記外面を定めるディスク部分とを有し、前記ディスク部分が、前記カム部材に隣接して前記第１プロングの間及び第２プロングの間に配置される請求項３に記載のドアラッチ装置。
【請求項５】
前記カム表面が、弓形状を有する請求項１に記載のドアラッチ装置。
【請求項６】
前記カム表面が、凹形状を有する請求項５に記載のドアラッチ装置。
【請求項７】
前記突起が、前記カム部材の中間部分上に形成され、前記カム部材が更に、前記中間部分から離れた上部分と、前記上部分の反対側に前記中間部分から離れた下部分とを含む請求項１に記載のドアラッチ装置。
【請求項８】
ドアの反対側に固定された第１及び第２ハウジング部品と、前記第１及び第２ハウジング部品のそれぞれに軸で回転可能に連結された第１及び第２ハンドルと、前記ドア内部に伸びるラッチアセンブリと、前記ドア内部で前記第１及び第２ハンドルの間にわたるドアラッチ装置とを含むドアハンドルアセンブリであって、
前記ラッチアセンブリは、その内部に移動可能に支持されたラッチ部材を含み、前記ラッチ部材が、前記ドア外側に伸びた位置と、前記ドア内側に引っ込んだ位置とを有し、
前記ドアラッチ装置は、実質的に互いに垂直に設けられた第１チャネル及び第２チャネルを有するベースと、前記第１チャネル内に配置された第１及び第２ラック部品と、前記ラッチ部材に連結されたカム部材と、外面を定める中間部品とを含み、
前記第１ラック部品が前記第１ハンドルに連結され、前記第２ラック部品が前記第２ハンドルに連結され、前記第１及び第２ラック部品はそれぞれ、前記第１チャネルに沿って独立して移動可能であり、
前記カム部材は、前記第２チャネル内に配置され、前記第２チャネルに沿って移動可能であり、前記第２チャネルから離れて伸びる突起を含み、前記突起が、前記第１及び第２チャネルのそれぞれに対して斜めのカム表面を定め、
前記中間部品は、前記第１及び第２ラック部品の間に配置されて前記外面が前記カム表面と係合し、前記第１及び第２ラック部品のそれぞれが、前記中間部品を前記カム部材に向かって前記第１チャネルに沿った第１方向に独立して動かして、前記ラッチアセンブリから離れるように前記第２チャネルに沿った第２方向に前記カム部材を移動させ、前記カム部材が前記ラッチ部材を前記伸びた位置から前記引っ込んだ位置に動かすドアハンドルアセンブリ。
【請求項９】
前記第１ラック部品が、前記第１チャネルに沿って延在する一対の第１プロングを含み、前記第１プロングは離れており、かつ前記カム部材の周りに配置され、
前記第２ラック部品が、前記第１チャネルに沿って延在する一対の第２プロングを含み、前記第２プロングは離れており、かつ前記カム部材の周りに配置され、前記第２プロングが、前記第１プロングと前記カム部材との間に配置される請求項８に記載のドアハンドルアセンブリ。
【請求項１０】
前記第１プロングはそれぞれ、前記第１チャネルに沿って伸びる第１スロットを含み、
前記第２プロングはそれぞれ、前記第１チャネルに沿って伸びる第２スロットを含み、
前記中間部品は、前記第１プロングの間及び第２プロングの間に配置され、前記第１及び第２スロット内に伸び、前記中間部品は、前記第１及び第２ラック部品の一方が前記中間部品を動かす時に、前記第１及び第２ラック部品の他方に対して動き、かつ前記第１及び第２スロットのうちのその他方のスロットに沿って動く請求項９に記載のドアハンドルアセンブリ。
【請求項１１】
前記中間部品が、前記第１及び第２スロットに伸びるロッド部分と、前記外面を定めるディスク部分とを有し、前記ディスク部分が、前記カム部材に隣接して前記第１プロングの間及び第２プロングの間に配置される請求項１０に記載のドアハンドルアセンブリ。
【請求項１２】
前記第１ハンドルを引っ張ることで、前記第１ラック部品を操作する請求項８に記載のドアハンドルアセンブリ。
【請求項１３】
前記第２ハンドルを押すことで、前記第２ラック部品を操作する請求項１２に記載のドアハンドルアセンブリ。
【請求項１４】
前記カム表面が、弓形状を有する請求項８に記載のドアハンドルアセンブリ。
【請求項１５】
前記カム表面が、凹形状を有する請求項１２に記載のドアハンドルアセンブリ。
【請求項１６】
前記突起が、前記カム部材の中間部分上に形成され、前記カム部材が更に、前記中間部分から離れた上部分と、前記上部分の反対側に前記中間部分から離れた下部分とを含む請求項８に記載のドアハンドルアセンブリ。
【請求項１７】
前記第１及び第２ラック部品のそれぞれが円筒端部を有し、前記第１及び第２ハンドルのそれぞれが開放形スロットを含む連結機構を有し、前記第１及び第２ハンドルの回転が前記第１及び第２ラック部品を前記第１チャネルに沿って動かすように、前記円筒端部が摺動可能に前記開放形スロット内部に配置される請求項８に記載のドアハンドルアセンブリ。
【請求項１８】
前記第１及び第２ハンドルはそれぞれ、前記ドアハンドルアセンブリの使用者によって握られるように構成された把持部分を有し、前記把持部分のそれぞれは、その端部より広い中央領域を有する請求項８に記載のドアハンドルアセンブリ。
【請求項１９】
前記第１及び第２ハウジング部品のそれぞれを覆って配置された第１及び第２外部カバーを更に含む請求項８に記載のドアハンドルアセンブリ。
【発明の詳細な説明】
【技術分野】
【０００１】
本開示は、ドアハンドルアセンブリに関し、特に、ドアハンドルアセンブリ用のドアラッチ装置に関する。
【背景技術】
【０００２】
本項目での記述は、本開示に関する背景情報を提供するに過ぎず、先行技術を構成しない。
【０００３】
ドア枠に対してドアを選択的にしっかりと締めるために、様々なドアハンドルアセンブリが、当技術分野において知られている。特に、プッシュプル動作を有するドア枠アセンブリが知られている。しかしながら、反対のドアハンドルの独立した動作、ドアハンドルの動きのラッチ変位への調節可能な変換、及び／又は比較的コンパクトな構成を提供するドアラッチ装置を有する、プッシュプル動作を伴う新規なドアハンドルアセンブリが望まれる。
【発明の概要】
【課題を解決するための手段】
【０００４】
本開示は、ドアラッチ装置を提供する。幾つかの実施態様において、ドアラッチ装置は、実質的に互いに垂直に設けられた第１チャネル及び第２チャネルを有するベースと、第１チャネル内に配置された第１及び第２ラック部品とを含む。前記第１及び第２ラック部品はそれぞれ、第１チャネルに沿って独立して移動可能である。ドアラッチ装置は更に、ドアハンドルアセンブリのラッチに連結するように構成されたカム部材を含む。カム部材は、第２チャネル内に配置され、第２チャネルに沿って移動可能である。カム部材は、第２チャネルから離れるように延在する突起を含み、突起は、第１及び第２チャネルのそれぞれに対して斜めのカム表面を定める。ドアラッチ装置はまた、外面を定める中間部品を含む。中間部品は、第１及び第２ラック部品の間に配置され、外面は、カム表面と係合する。第１及び第２ラック部品のそれぞれは、中間部品を第１チャネルに沿った第１方向にカム部材に向かって独立して動かして、カム部材を第２チャネルに沿った第２方向に移動させる。
【０００５】
本開示は、ドアハンドルアセンブリを更に提供する。幾つかの実施態様において、ドアハンドルアセンブリは、ドアの反対側に固定された第１及び第２ハウジング部品と、第１及び第２ハウジング部品のそれぞれに軸で回転可能に連結された第１及び第２ハンドルと、ドア内部のラッチアセンブリとを含む。ラッチアセンブリは、ドア外側に伸びた位置と、ドア内側に引っ込んだ位置との間で移動可能なラッチ部材を含む。ドアハンドルアセンブリは更に、第１及び第２ハンドルの間にわたるドア内部のドアラッチ装置を有する。ドアラッチ装置は、実質的に互いに垂直に設けられた第１チャネル及び第２チャネルを有するベースと、第１チャネル内に配置された第１及び第２ラック部品とを含む。第１ラック部品は、第１ハンドルに連結され、第２ラック部品は、第２ハンドルに連結される。第１及び第２ラック部品のそれぞれは、第１チャネルに沿って独立して移動可能である。ドアラッチ装置は、ラッチ部材に連結されたカム部材を更に含み、カム部材は、第２チャネル内に配置され、第２チャネルに沿って移動可能である。カム部材は、第２チャネルから離れるように延在する突起を含み、突起は、第１及び第２チャネルのそれぞれに対して斜めのカム表面を定める。ドアラッチ装置はまた、外面を定める中間部品を含み、中間部品は、第１及び第２ラック部品の間に配置され、外面は、カム表面と係合する。第１及び第２ラック部品のそれぞれは、中間部品を第１チャネルに沿った第１方向にカム部材に向かって独立して動かして、カム部材をラッチアセンブリから離れるようにして第２チャネルに沿った第２方向に移動させる。そして、カム部材は、ラッチ部材を伸びた位置から引っ込んだ位置に動かす。
【０００６】
本開示は、ロックアセンブリも提供する。ロックアセンブリは、第１及び第２ハウジング部品によって支持され、ドアラッチ装置及びドアハンドルアセンブリと協働してドアロック構造を与える。ロックアセンブリは、アクチュエータレバーを含む。アクチュエータレバーは、ロック位置に回転でき、それにより所望するように、ロックつめに第２ラック部品の動きを制限させる。ロックアセンブリはまた、ロック解除つめを含む。ロック解除つめは、第１ラック部品によって操作可能であり、ドアロックアセンブリをロック解除位置に回転させ、それにより第１ラック部品のその後の動きを可能にする。
【０００７】
更なる適用範囲は、本明細書で与えられる記載から明らかになるであろう。記載及び具体的な実施例は、例示の目的のみを意図し、本開示の範囲を限定することは意図されないことが理解されるべきである。
【図面の簡単な説明】
【０００８】
本明細書に記載された図は、例示の目的のみのためであり、本開示の範囲を限定することは、決して意図されない。
【０００９】
【図１】本開示の原理によるドアハンドルアセンブリの斜視図である。
【図２】図１の２−２線でのドアハンドルアセンブリの断面図である。
【図３】本開示の原理によるドアハンドルアセンブリの分解斜視図である。
【図４】本開示の原理によるドアラッチ装置、ラッチアセンブリ、及びドア枠ブラケットの分解斜視図である。
【図５】本開示の原理によるドアラッチ装置の断面図である。
【図６】図４の６−６線でのラッチアセンブリの断面図である。
【図７】図７Ａ〜７Ｃは、ハンドルが引っ張られた際のドアハンドルアセンブリの動作を例示する、本開示の原理によるドアハンドルアセンブリの部分斜視図である。
【図８】図８Ａ〜８Ｃは、ハンドルが押された際のドアハンドルアセンブリの動作を例示する、本開示の原理によるドアハンドルアセンブリの部分斜視図である。
【発明を実施するための形態】
【００１０】
以下の記載は、実際には単なる例示であり、本開示、応用又は用途を限定することを意図しない。図面を通じて、対応する参照番号は、同様の又は対応する部品及び機構を示す。
【００１１】
本開示の原理によれば、ドアラッチ装置を含むドアハンドルアセンブリが提供される。幾つかの実施態様では、ドアラッチ装置は、ドアハンドルアセンブリの第１及び第２ハンドルによって独立して操作できる。ドアラッチ装置は、ハンドルの動きをカム部材の移動に変換することを容易にするカム表面を有するカム部材を含むことができる。幾つかの実施態様において、カム部材は、ラッチ部材に連結され、ラッチ部材を伸びた位置と引っ込んだ位置との間で動かす。
【００１２】
図１〜３を参照すると、例となるドアハンドルアセンブリ２０が本開示の幾つかの実施態様に従って例示される。ドアハンドルアセンブリ２０は、ドア２２に結合でき、かつドア２２をドア枠２４に対して選択的にしっかりと締めるために操作できる。幾つかの実施態様において、ドアハンドルアセンブリ２０は、ドア２２の反対側に第１及び第２ハンドル３０、３２を含む。ドアラッチ装置３４は、ドア２２を通って伸び、第１及び第２ハンドル３０、３２の両方に操作可能に連結される。ドアラッチ装置３４は、同様にラッチアセンブリ３６に操作可能に連結される。ラッチアセンブリ３６は、ドア枠２４に固定されたドア枠ブラケット３８と係合するように構成される。
【００１３】
第１及び第２ハンドル３０、３２は、同様な形状及び構成を有することができる。例えば、幾つかの実施態様において、第１ハンドル３０は、湾曲した本体４０と、第１端部４２及び第２端部４３を有する本体４０の上端部に配置された把持部分４１とを含む。同様に、幾つかの実施態様において、第２ハンドル３２は、湾曲した本体４４と、第１端部４６及び第２端部４７を有する本体４４の上端部に配置された把持部分４５とを含む。更に、幾つかの実施態様において、把持部分４１、４５は、その端部よりも厚い中央領域４８、４９をそれぞれ有することができる。このようにして、把持部分４１、４５は、第１及び第２ハンドル３０、３２の一方を握る操作者の手の湾曲した指の形状に対応する形状を有することができる。また、第１及び第２ハンドル３０、３２は、種々の形状及び構成を有することができる。特に、個々の用途について慣用の形状をしたハンドルが、本開示の原理に従って使用できることに注目すべきである。
【００１４】
本開示の幾つかの実施態様において、ドアハンドルアセンブリ２０は、プッシュプル動作のために構成され、ドア２２は、矢印「Ａ」で示すようにドア枠２４に対して一方向に開放する（図１）。このようにして、第１ハンドル３０は、「Ａ」方向に引っ張られた時にドア枠ブラケット３８からラッチアセンブリ３６を解放するために、ドアラッチ装置３４を操作するように構成され、かつ第２ハンドル３２は、「Ａ」方向に押された時にドア枠ブラケット３８からラッチアセンブリ３６を解放するために、ドアラッチ装置３４を操作するように構成される。この動作は、本明細書において更に詳細に記載される。
【００１５】
図２〜３を特に参照すると、ドアハンドルアセンブリ２０は、ドア２２の反対側に取り付けられた第１及び第２内部ハウジング部品５０、５２を含む。第１及び第２内部ハウジング部品５０、５２は、鏡面対称に配置された同様な構成を有する。従って、第１及び第２内部ハウジング部品５０、５２の一方のみが、本明細書に詳細に記載される。特に断りのない限り、第１及び第２内部ハウジング部品５０、５２の一方の記載は、他方にも等しく適用される。
【００１６】
第１内部ハウジング部品５０は、留め具５９によってドア２２に取り付けられた本体５８を含む（図２）。留め具５９は、種々の形を取ることができる。例えば、留め具５９は、図２でねじとして例示される。第２内部ハウジング部品は、同様にドア２２に取り付けられる。更に、第１内部ハウジング部品５０は、第１ハンドルを軸で回転可能に支持するために本体５８から突き出たピボットベース６０を有する。特に、ピボットベース６０は、一対の離れた側壁６１を含み、側壁６１はそれぞれ、側壁６１を貫通する開口部６２を有する。側壁６１は、第１ハンドル３０から伸びる突起６４を補充するように離される。突起６４は、開口部６２を補足する、貫通して伸びる開口部６６を有する（図３）。ピン６８は、第１ハンドル３０を第１内部ハウジング部品５０に軸で回転可能に連結するために、開口部６２及び開口部６６を通って延在する。第２ハンドルは、同様に第２内部ハウジング部品５２に軸で回転可能に連結できる。
【００１７】
幾つかの実施態様において、第１及び第２内部ハウジング部品５０、５２は、第１及び第２ストップリンク７２、７３を摺動可能に支持するために軸方向に伸びるガイドチャネル７０、７１を更に含むことができる。第１ストップリンク７２は、第１ハンドル３０と連結でき、第１ハンドル３０が定位置から回転して離れる時、第１ハンドル３０の回転範囲を定めるために第１内部ハウジング部品５０と協働する。同様に、第２ストップリンク７３は、第２ハンドル３２と連結でき、第２ハンドル３２の回転範囲を定めるために第２ハウジング部品５２と協働する。第１及び第２ストップリンク７２、７３は、鏡面対称に配置された同様な構成を有することできる。従って、第１ストップリンク７２のみが、本明細書に詳細に記載される。特に断りのない限り、第１ストップリンク７２の記載は、第２ストップリンク７３にも等しく適用される。
【００１８】
幾つかの実施態様において、第１ストップリンク７２は、リンクスタッド７４と、後方ストップ面７６と、前方ストップ７８とを含むことができる。リンクスタッド７４は、第１ストップリンク７２の一端に設けられ、第１ハンドル３０内に形成されたアクチュエータアーム８２内部に形成された開口部８０内部を補充するように位置決めされる。後方ストップ面７６は、第１ストップリンク７２のリンクスタッド７４と同じ端部に設けられ、第１ハンドル３０が定位置にある時に、第１内部ハウジング部品５０の外側面８４と係合するように構成される。前方ストップ７８は、リンクスタッド７４の反対端部に設けられ、後で説明されるように、ドアラッチ装置３４が引っ込んだ位置にある時に、第１内部ハウジング部品５０の内側面８８と係合するように構成される前方ストップ面８６を含むことができる。前方ストップ７８は、図２に示すようにねじの留め具９０によって第１ストップリンク７２に結合できる。
【００１９】
本開示の原理によれば、付勢部材９２（図２）は、第１内部ハウジング部品５０に結合できる。幾つかの実施態様において、付勢部材９２は、第１内部ハウジング部品５０のピボットベース６０に軸で回転可能に結合されたねじりばねであり、ねじりばねは、第１ハンドル３０及びピボットベース６０のそれぞれと係合する遠位端部９４、９６を有し、第１ハンドル３０を定位置に向けて付勢する。第２付勢部材（図示せず）は、同様に第２内部ハウジング部品５２に結合され、第２ハンドル３２と係合されて、第２ハンドル３２を図２に示す定位置に向けて付勢する。
【００２０】
幾つかの実施態様において、第１及び第２内部ハウジング部品５０、５２はそれぞれ、複数の内部に伸びるボス機構１００、１０２それぞれを含むことができる。ボス機構１００、１０２は、第１及び第２内部ハウジング部品５０、５２が互いに固定できるように、相補するようにして第１及び第２内部ハウジング部品５０、５２上に位置決めされる。
【００２１】
幾つかの実施態様において、ドアハンドルアセンブリ２０は更に、第１及び第２内部ハウジング部品５０、５２のそれぞれを覆って配置される第１及び第２外部ハウジング部品又はカバー１１０、１１２を含む。第１及び第２内部ハウジング部品５０、５２のように、第１及び第２外部ハウジング部品１１０、１１２は、同様な構成を有することができる。従って、第１及び第２内部ハウジング部品５０、５２の一方のみが、本明細書に詳細に記載される。特に断りのない限り、第１及び第２外部ハウジング部品１００、１０２の一方の記載は、他方にも等しく適用される。
【００２２】
第１外部ハウジング部品１１０は、第１内部ハウジング部品５０内でボス機構１１６が補足される開口部１１４を有することができる。留め具１１８は、開口部１１４を通って伸びてボス機構１１６に係合し、第１外部ハウジング部品１１０を第１内部ハウジング部品５０に固定する。第２外部ハウジング部品１１２は、同様に第２内部ハウジング部品５２に固定される。更に、第１外部ハウジング部品１１０は、ピボットベース６０を覆って延在するカバー部分１２０と、第１ハンドル３０の下部を補うように形成された凹形のカップ部分１２２とを含むことができる。第２外部ハウジング部品１１２は、同様の構造を含むことができる。このようにして、第１及び第２外部ハウジング部品１１０、１１２は、ドアハンドルアセンブリ２０の部品を保護するために機能し、かつドアハンドルアセンブリ２０の所望の外観を提供できる。
【００２３】
その上、幾つかの実施態様において、内部ハウジング部品５０、５２は、ドアハンドルアセンブリ２０をロックするために操作可能なロックアセンブリ１３０（図２〜３）を支持する。ロックアセンブリ１３０は、コネクタシャフト１３２と、第１及び第２ロックシャフト１３４、１３６と、アクチュエータレバー１３８と、ロックつめ１４０とを含む。コネクタシャフト１３２は、第１及び第２内部ハウジング部品５０、５２の間に延在し、第１及び第２ロックシャフト１３４、１３６によって両端部で支持される。第１及び第２ロックシャフト１３４、１３６はそれぞれ、コネクタシャフト１３２のそれぞれの端部に設けられたキー付き開口部１４１、１４２内に摺動可能に受け入れられる。第１及び第２ロックシャフト１３４、１３６は、第１及び第２内部ハウジング部品５０、５２内のそれぞれに形成された穴１４３、１４４を通って伸び、穴１４３、１４４によって回転可能に支持される。アクチュエータレバー１３８は、第１ロックシャフト１３４の遠位端部に結合され、外部ハウジング部品１１０を通って延在する。ロックつめ１４０は、コネクタシャフト１３２と内部ハウジング部品５２との間に配置することができ、第２ロックシャフト１３６に操作可能に接続される。具体的には、第２ロックシャフト１３６は、ロックつめ１４０内のキー付き開口部１４６を通って延在する。このように、アクチュエータレバー１３８は、後で記載するように、ドアハンドルアセンブリ２０をロックするために、ロックつめ１４０にドアラッチ装置３４を係合させるように作動できる。
【００２４】
幾つかの実施態様においては、第２外部ハウジング部品が同様のロック構造と結合されないことで、ドアハンドルアセンブリ２０は、ドア２２の片側のみからロック又はロック解除されることができる。
【００２５】
ドアハンドルアセンブリ２０のドアラッチ装置３４（図３）は、第１及び第２内部ハウジング部品５０、５２の間で支持され、ラッチアセンブリ３６及び第１及び第２ハンドル３０、３２の両方に操作可能に連結される。特に、本明細書において更に詳細に記載されるように、ドアラッチ装置３４は、第１ハンドル３０の引っ張り又は第２ハンドル３２の押しに応じてラッチアセンブリ３６を引っ込んだ位置に操作できる。
【００２６】
特に図４〜５を参照して、ドアラッチ装置３４は、本開示の幾つかの実施態様に従って詳細に例示される。ドアラッチ装置３４は、カム部材１４８を含み、カム部材１４８は、ラッチアセンブリ３６、第１及び第２ハンドル３０、３２のそれぞれに連結される第１及び第２ラック部品１５０、１５２、並びにカム部材１４８と第１及び第２ラック部品１５０、１５２との間に操作可能に配置された中間部品すなわちローラ１５４と連結される。ドアラッチ装置３４はまた、第１及び第２内部ハウジング部品５０、５２との間に固定されたカム部材１４８を支持するベース１５６と、第１及び第２ラック部品１５０、１５２と、ローラ１５４とを含む。
【００２７】
カム部材１４８は、基部１７６から互いに実質的に平行に延在する上部分１７０と、中間部分１７２と、下部分１７４とを含む。このようにして、上部間隙１７８（図４）が、上部分１７０と中間部分１７２との間に画定され、下部間隙１８０（図４）が、中間部分１７２と下部分１７４との間に画定される。更に、上部分、中間部分及び下部分１７０、１７２、１７４のそれぞれは、基部１７６の反対側に配置される開口部１８２（図４）を含むことができる。上部スペーサ１８４（図７Ａ、８Ａ）は、開口部１８２内に隣接して上部間隙１７８内に配置される。下部スペーサ（図示せず）は、開口部１８２に隣接して下部間隙１８０内に配置される。留め具１８８（図７Ａ、８Ａ）、例えばピンは、開口部１８２を通りスペーサの中を伸びて、カム部材１４８及びスペーサを一緒に固定する。
【００２８】
幾つかの実施態様では、カム部材１４８は更に、中間部分１７２の片側から延在する突起１９０を含むことができる。突起１９０は、概ね三角形の形状を有し、弓形のカム表面１９２を定める。本明細書で更に詳細に記載するように、カム表面１９２及びローラ１５４は係合し、第１及び第２ハンドル３０、３２の動きをラッチアセンブリ３６の動作へ変換する。特に、幾つかの実施態様において、カム表面１９２は、ローラ１５４を受けるように構成された凹形端部１９３（図４）を含む、概ね凹形状を有することができる。
【００２９】
その上、幾つかの実施態様において、カム部材１４８は、基部１７６から外部に伸びる支柱１９４（図４、７Ａ、８Ａ）を含むことができる。本明細書で更に詳細に記載するように、支柱１９４は、カム部材１４８をラッチアセンブリ３６に連結できる。
【００３０】
図４〜５を引き続き参照すると、幾つかの実施態様において、ドアラッチ装置３４の第１及び第２ラック部品１５０、１５２は、同様な音叉型の形状を有することができる。例えば、第１ラック部品１５０は、基部２２０と、基部２２０から離れて伸びる実質的に互いに平行な一対の細長いプロング２２２とを含むことができる。第１ラック部品１５０は更に、プロング２２２の反対側に基部２２０から伸びる円筒端部２２４を含むことができる。同様に、第２ラック部品１５２は、基部２２６と、基部２２６から離れて伸びる実質的に互いに平行な一対の細長いプロング２２８とを含むことができる。第２ラック部品１５２は、プロング２２８の反対側に基部２２６から伸びる円筒端部２３０を更に含むことができる。
【００３１】
プロング２２２、２２８は、その間に間隙２３２、２３４（図４）を画定するように離される。幾つかの実施態様において、第１ラック部品１５０の間隙２３２は、第２ラック部品１５２の間隙２３４より大きくされる。このようにして、第１ラック部品１５０は、プロング２２２がその間隙によってプロング２２８を挟むようにして、第２ラック部品１５２を覆って延在できる。また、間隙２３４は、第２ラック部品１５２のプロング２２８がその間隙によってカム部材１４８の中間部分１７２を挟むように十分に大きくすることができる。更に、幾つかの実施態様において、プロング２２２のそれぞれが、スロット２３６（図４）を内部に含み、そしてプロング２２８のそれぞれが、スロット２３８（図４）を内部に含む。以下で更に詳細に記載するように、ローラ１５４もまた、プロング２２２、２２８の間に配置され、かつスロット２３６、２３８内側に伸びる。
【００３２】
幾つかの実施態様において、第１及び第２ラック部品１５０、１５２は更に、円筒端部２２４、２３０それぞれの内部に支持されたピン２４０、２４２を含む。ピン２４０、２４２は、第１及び第２ハンドル３０、３２の連結機構２５０、２５２（図５）とそれぞれ係合することができる。例えば、第１ラック部品１５０のピン２４０は、連結機構２５０のＵ字形スロット２５４（図５）内部に配置される。この構成により、第１ハンドル３０の動きは、第１ラック部品１５０に変換される。しかしながら、ピン２４０は、第１ハンドル３０の回転が、第１ラック部品１５０のその長さ方向に沿った動きのみを引き起こすように、スロット２５４に沿って摺動する。このようにして、第１ハンドル３０の回転は、適切な位置を外れて第１ラック部品１５０を動かさない。ドアハンドルアセンブリ２０の更なる動作は、本明細書で更に詳細に記載される。第２ラック部品１５２のピン２４２は、連結機構２５２のＵ字形スロット２５６（図５）内部に配置され、第２ハンドル３２によって同様の相互作用を有することができる。
【００３３】
更に、幾つかの実施態様において、第１ラック部品１５０は、基部２２０の反対側に配置された一対のロックタブ２６０を含むことができ、第２ラック部品は、基部２２６の反対側に配置された一対のロックタブ２６２を含むことができる（図４）。ロックタブ２６０、２６２は、ドアハンドルアセンブリ２０をロック及びロック解除するために、ロックアセンブリ１３０と協働できる。幾つかの実施態様では、ドアハンドルアセンブリ２０は、アクチュエータレバー１３８をロック位置に向かって回転させることによってロックできる。アクチュエータレバー１３８を回転させることで、ロックつめ１４０をロックタブ２６２に向かって回転させることができる。ロック位置において、ロックつめ１４０はロックタブ２６２に隣接した位置に置かれ、第２ハンドル３２が定位置から回転されて離れる時に、ロックつめ１４０が第２ラック部品１５２の変換の動きを禁止する。反対に、ドアハンドルアセンブリ２０は、アクチュエータレバー１３８をロック解除位置に向かって回転させ、ロックつめ１４０をロックタブ２６２から離れた位置に置くことによってロック解除でき、これにより第２ラック部品１５２が第２ハンドル３２の回転に応じて動きを変換することができる。
【００３４】
幾つかの実施態様において、ロックアセンブリ１３０は更に、第２ハンドル３２が定位置から回転されて離れる時に、ドアハンドルアセンブリ２０を自動的にロック解除するためにロック解除つめ２６４を含むことができる。図２〜３を参照すると、ロック解除つめ２６４は、コネクタシャフト１３２及び内部ハウジング部品５０の間に配置され、第１ロックシャフト１３４に操作可能に接続できる。具体的には、第１ロックシャフト１３４は、ロック解除つめ２６４内のキー付き開口部２６６を通って延在できる。このようにして、アクチュエータレバー１３８は、ロックつめ１４０について先に記載したのと同じ方法で、ロック解除つめ２６４をロック及びロック解除位置の間で回転させるように作動できる。ロック位置において、ロック解除つめ２６４は、ロックタブ２６０に隣接した位置に置かれ、第１ハンドル３０を定位置から回転させて離すことに対応した第１ラック部品１５０の変換による動きが、ロックタブ２６０をロック解除つめ２６４のカム面２６８（図３）と係合させる。第１ハンドル３０が更に回転されると、ロックタブ２６０がカム面２６８への力を与え、それによりロックアセンブリ１３０がロック解除位置に回転する。この方法で、ロック解除つめ２６４は、第１ラック部品１５０と協働し、第１ハンドル３０を回転させることによってドアハンドルアセンブリ２０をロック解除できる。
【００３５】
第１及び第２内部ハウジング部品５０、５２並びにロックタブ２６０、２６２の対称配置により、第１及び第２内部ハウジング部品５０、５２及びロックアセンブリ１３０が、ドアハンドルアセンブリ２０をロックするために図１〜３に示したものと反対の配置で設置され得る。従って、ロックアセンブリ１３０は、第１ハンドル３０が定位置から回転して離れる時に、第１ラック部品１５０の変換による動きを禁止し、かつ第２ハンドル３２が定位置から回転して離れる時に、第２ラック部品１５２の変換による動きがドアハンドルアセンブリ２０をロック解除するように使用されることができる。
【００３６】
図４を特に参照すると、幾つかの実施態様において、ドアラッチ装置３４のローラ１５４は、段状の円筒形を有することができる。例えば、ローラ１５４は、ロッド部分２８０と、ロッド部分２８０から広がるディスク部分２８２とを含むことができる。ロッド部分２８０は、ディスク部分２８２より小さい直径を有することができる。幾つかの実施態様において、ロッド部分２８０は、第１及び第２ラック部品１５０、１５２のスロット２３６、２３８内に伸びる。更に、幾つかの実施態様において、ディスク部分２８２は、カム部材１４８のカム表面１９２と係合する外面２８４を定める。特に、幾つかの実施態様において、ローラ１５４は、第１ラック部品１５０のプロング２２２の間に挟まれる第２ラック部品１５２のプロング２２８の間にディスク部分２８２が挟まれて配置される。その結果、ロッド部分２８０は、スロット２３６、２３８内に伸び、外面２８４は、カム表面１９２と係合する。本明細書で更に詳細に記載するように、ローラ１５４は、第１方向におけるラック部品の動きを、第１方向に実質的に垂直な第２方向におけるカム部材の移動に変換するために、カム部材１４８と第１及び第２ラック部品１５０、１５２との間で中間部品として機能する。
【００３７】
再度図４〜５を参照すると、ドアラッチ装置３４のベース１５６は、その内部に形成された第１及び第２チャネル３００、３０２を含むことができる。幾つかの実施態様において、第１及び第２チャネル３００、３０２は、実質的に互いに垂直に設けられる。第１チャネル３００は、第１及び第２ラック部品１５０、１５２を支持及び導き、第２チャネル３０２は、カム部材１４８を支持及び導く。更に幾つかの実施態様において、第２チャネル３０２は、カム部材１４８の下部分１７４から伸びるタブ３０６（図４）を補充する溝３０４（図５）をその内部に含むことができる。溝３０４及びタブ３０６は、誘導を支援し、第２チャネル３０２内にカム部材１４８を整列させるために係合できる。
【００３８】
図６を参照すると、ドアハンドルアセンブリ２０のラッチアセンブリ３６は、ハウジング３２２内に配置されたラッチ部材３２０を含むことができる。更に、付勢部材３２４は、ラッチ部材３２０とハウジング３２２との間に配置できる。幾つかの実施態様において、ラッチ部材３２０は、主要部分３３０と、そこから伸びる連結部分３３２とを含む。連結部分３３２は、その内側に形成されたスロット３３４を有し、スロット３３４はカム部材１４８の支柱１９４を受ける（図７Ａ、８Ａ）。このようにして、カム部材１４８及びラッチ部材３２０は連結され、従ってドアラッチ装置３４及びラッチアセンブリ３６が連結される。更に、幾つかの実施態様において、ラッチ部材３２０の主要部分３３０は、傾斜外面３３６と、その内部に形成された突起３３８とを含む。付勢部材３２４は、突起３３８とハウジング３２２の突起３４０との間を連結する。図６に例示したように、付勢部材は、コイルばねの形状にすることができる。
【００３９】
図７〜８を参照すると、本開示の幾つかの実施態様によるドアハンドルアセンブリ２０の動作が例示される。特に、図７Ａ〜７Ｃは、ドアラッチ装置３４が第１ハンドル３０の引っ張りに応じてラッチ部材３２０を引き込むように作用することを例示する。更に、図８Ａ〜８Ｃは、ドアラッチ装置３４が第２ハンドル３２の押しに応じてラッチ部材３２０を引き込むように同様に作用することを例示する。
【００４０】
図７Ａにおいて、第１ハンドル３０は定位置にある。更に、ラッチ部材３２０は伸びた位置にあり、ローラ１５４は、ラッチ部材３２０と反対側のカム部材１４８の端部に寄って配置される。第１ハンドル３０が引っ張られると（図７Ｂ）、第１ハンドル３０の下部は、ハウジング部品に近づき、第１ラック部品１５０は内側に動く。スロット２３６の端部は、ローラ１５４のロッド部分２８０と係合し、ローラ１５４をカム部材１４８に向かってベース１５６の第１チャネル３００に沿った第１方向に押す。ローラ１５４の外面２８４が、カム部材１４８のカム表面１９２と係合し、カム部材１４８が、第２チャネル３０２内に配置されていることで、ローラ１５４がカム表面１９２に対して動く間、カム部材１４８は、第１方向に実質的に垂直な、第２チャネル３０２に沿った第２方向に移動される。特に、ローラ１５４は、外面２８４上でカム表面１９２に沿って回転する。カム部材１４８は、第１ハンドル３０の引っ張りがラッチ部材３２０を引っ込めることができるように、第２チャネル３０２に沿ってラッチ部材３２０から離れるように移動される。ローラ１５４が移動して、カム表面１９２の凹形端部１９３と係合する時（図７Ｃ）、ラッチ部材３２０は、完全に引っ込んだ位置にある。
【００４１】
第１ラック部品１５０がローラ１５４を押すと、ローラ１５４は、第２ラック部品１５２のスロット２３８内部を動く。そして、第１及び第２ラック部品が、第１チャネル３００内で独立して支持されるので、第２ラック部品１５２及び第２ハンドル３２は、第１ハンドル３０の引っ張りによる影響を受けない。
【００４２】
さらに、本開示の幾つかの実施態様に従い、第１ハンドル３０を押すことで、ドアラッチ装置３４が操作されないこともまた理解される。特に、第１ハンドル３０が押されるならば、第１ラック部品１５０は、カム部材１４８から離れるように動き、ローラ１５４は、スロット２３６に沿って動くに過ぎない。このようにして、ドアハンドルアセンブリ２０は、図１に例示されたドア２２の動きの方向に対応するような一方向のみで、第１ハンドル３０が機能するように構成できる。
【００４３】
図８Ａにおいて、第２ハンドル３２は、図２に例示したように定位置にある。更に、ラッチ部材３２０は伸びた位置にあり、ローラ１５４は、ラッチ部材３２０と反対側のカム部材１４８の端部に寄って配置される。第２ハンドル３２が押されると（図８Ｂ）、第２ハンドル３２の下部は、ハウジング部品から離れ、第２ラック部品１５２は外側に動く。スロット２３８の端部は、ローラ１５４のロッド部分２８０と係合し、ローラ１５４をカム部材１４８に向かってベース１５６の第１チャネル３００に沿った第１方向に引っ張る。ローラ１５４の外面２８４が、カム部材１４８のカム表面１９２と係合し、カム部材１４８が、第２チャネル３０２内に配置されていることで、ローラ１５４がカム表面１９２に対して動く間、カム部材１４８は、第１方向に実質的に垂直な、第２チャネル３０２に沿った第２方向に移動される。特に、ローラ１５４は、外面２８４上でカム表面１９２に沿って回転する。カム部材１４８は、第２ハンドル３２を押すことがラッチ部材３２０を引っ込めることができるように、第２チャネル３０２に沿ってラッチ部材３２０から離れるように移動される。ローラ１５４が移動して、カム表面１９２の凹形端部１９３と係合する時（図８Ｃ）、ラッチ部材３２０は、完全に引っ込んだ位置にある。
【００４４】
第２ラック部品１５２がローラ１５４を引っ張ると、ローラ１５４は、第１ラック部品１５０のスロット２３６内部を動く。そして、第１及び第２ラック部品が、第１チャネル３００内で独立して支持されるので、第１ラック部品１５０及び第１ハンドル３０は、第２ハンドル３２の押しによる影響を受けない。
【００４５】
その上、本開示の幾つかの実施態様に従い、第２ハンドル３２を引っ張ることで、ドアラッチ装置３４が操作されないこともまた理解される。特に、第２ハンドル３２が引っ張られるならば、第２ラック部品１５２は、カム部材１４８から離れるように動き、ローラ１５４は、スロット２３８に沿って動くに過ぎない。このようにして、ドアハンドルアセンブリ２０は、図１に例示されたドア２２の運動の方向に対応するような一方向のみで、第２ハンドル３２が機能するように構成できる。
【００４６】
本明細書に記載されたように、カム部材１４８及びローラ１５４の相互作用は、第１及び第２ハンドル３０、３２の動きを、ラッチ部材３２０の移動に変換することができる。本開示の幾つかの実施態様によれば、カム表面１９２は、第１及び第２ハンドル３０、３２の運動量とラッチ部材３２０の引っ込みとの間におけるこの関係を、制限又は別の方法で設定するように形成され得る。例えば、カム表面１９２は、第２ハンドル３２だけがラッチ部材３２０を引っ込めるために僅かに押されるように、形成され得る。非限定的な例として、カム表面１９２並びに第１及び第２ハンドル３０、３２は、第１及び第２ハンドル３０、３２のいずれかの１／２インチのみの動きで、ラッチ部材３２０を引っ込めるように構成できる。このようにして、ドアハンドルアセンブリ２０は、動作中に第２ハンドル３２の把持部分４５及びドア２２の間に隙間を提供でき、第２ハンドルとドア２２との間に操作者の手が挟まれることを防止できる。カム表面１９２は、ドアハンドルアセンブリ２０の種々の応用のために、様々な方式で形成され得ることが理解されるべきである。
【００４７】
ラッチアセンブリ３６の作用は、当技術分野において周知であり、本明細書で詳細に記載しない。また、ドアハンドルアセンブリ２０のドア枠ブラケット３８は、当技術分野において周知であるように、ラッチアセンブリ３６のラッチ部材３２０と係合するように構成される。更に、幾つかの実施態様において、ラッチアセンブリ３６がドア枠ブラケット３８と係合すると、ロックアセンブリ１３０は、ドア２２をドア枠２４に対してロックするために操作できる。更に、ロックアセンブリ１３０は、第１ハンドル３０が引っ張られる時に自動的に解除するように構成できる。
【００４８】
図２を特に参照すると、幾つかの実施態様において、ドアラッチ装置３４の部品の多くは、ドア２２の開口部３５０内に配置できる。このようにして、ドアハンドルアセンブリ２０は、様々な大きさを有する様々なドアでの動作のために構成できる。非限定的な例として、ドアハンドルアセンブリ２０は、１と３／８インチから２インチまでの厚さを有するドアで使用できる。
【００４９】
本開示は、多くの方法で変えることができる。本開示の原理によるドアハンドルアセンブリ及びドアラッチ装置は、本明細書に詳細に論じられたものに限定されない様々な部品及び構成を有することができる。本明細書に記載された部品は、様々な形状及び構成を有することができ、かつ様々な材料から作ることができる。従って、本開示が、実際には例示であることが理解されるべきである。
【符号の説明】
【００５０】
２０  ドアハンドルアセンブリ
２２  ドア
２４  ドア枠
３０  第１ハンドル
３２  第２ハンドル
３４  ドアラッチ装置
３６  ラッチアセンブリ
４１  把持部分
４５  把持部分
５０  ハウジング部品
５２  ハウジング部品
６０  ピボットベース
１１０  カバー
１１２  カバー
１４８  カム部材
１５０  第１ラック部品
１５２  第２ラック部品
１５４  中間部品
１５６  ベース
１７０  上部分
１７２  中間部分
１７４  下部分
１９０  突起
１９２  カム表面
２２０  基部
２２２  プロング
２２８  プロング
２３６  スロット
２３８  スロット
２５４  スロット
２５６  スロット
２８０  ロッド部分
２８２  ディスク部分
３００  第１チャネル
３０２  第２チャネル
【図１】
2010526223.tif 000003
【図２】
2010526223.tif 000004
【図３】
2010526223.tif 000005
【図４】
2010526223.tif 000006
【図５】
2010526223.tif 000007
【図６】
2010526223.tif 000008
【図７Ａ】
2010526223.tif 000009
【図７Ｂ】
2010526223.tif 000010
【図７Ｃ】
2010526223.tif 000011
【図８Ａ】
2010526223.tif 000012
【図８Ｂ】
2010526223.tif 000013
【図８Ｃ】
2010526223.tif 000014
【手続補正書】
【提出日】平成22年2月9日(2010.2.9)
【手続補正１】
【補正対象書類名】明細書
【補正対象項目名】００２１
【補正方法】変更
【補正の内容】
【００２１】
幾つかの実施態様において、ドアハンドルアセンブリ２０は更に、第１及び第２内部ハウジング部品５０、５２のそれぞれを覆って配置される第１及び第２外部ハウジング部品又はカバー１１０、１１２を含む。第１及び第２内部ハウジング部品５０、５２のように、第１及び第２外部ハウジング部品１１０、１１２は、同様な構成を有することができる。従って、第１及び第２外部ハウジング部品１１０、１１２の一方のみが、本明細書に詳細に記載される。特に断りのない限り、第１及び第２外部ハウジング部品１１０、１１２の一方の記載は、他方にも等しく適用される。
【手続補正２】
【補正対象書類名】明細書
【補正対象項目名】００３４
【補正方法】変更
【補正の内容】
【００３４】
幾つかの実施態様において、ロックアセンブリ１３０は更に、第１ハンドル３０が定位置から回転されて離れる時に、ドアハンドルアセンブリ２０を自動的にロック解除するためにロック解除つめ２６４を含むことができる。図２〜３を参照すると、ロック解除つめ２６４は、コネクタシャフト１３２及び内部ハウジング部品５０の間に配置され、第１ロックシャフト１３４に操作可能に接続できる。具体的には、第１ロックシャフト１３４は、ロック解除つめ２６４内のキー付き開口部２６６を通って延在できる。このようにして、アクチュエータレバー１３８は、ロックつめ１４０について先に記載したのと同じ方法で、ロック解除つめ２６４をロック及びロック解除位置の間で回転させるように作動できる。ロック位置において、ロック解除つめ２６４は、ロックタブ２６０に隣接した位置に置かれ、第１ハンドル３０を定位置から回転させて離すことに対応した第１ラック部品１５０の変換による動きが、ロックタブ２６０をロック解除つめ２６４のカム面２６８（図３）と係合させる。第１ハンドル３０が更に回転されると、ロックタブ２６０がカム面２６８への力を与え、それによりロックアセンブリ１３０がロック解除位置に回転する。この方法で、ロック解除つめ２６４は、第１ラック部品１５０と協働し、第１ハンドル３０を回転させることによってドアハンドルアセンブリ２０をロック解除できる。
【手続補正３】
【補正対象書類名】図面
【補正対象項目名】全図
【補正方法】変更
【補正の内容】
【図１】
2010526223.tif 000015
【図２】
2010526223.tif 000016
【図３】
2010526223.tif 000017
【図４】
2010526223.tif 000018
【図５】
2010526223.tif 000019
【図６】
2010526223.tif 000020
【図７】
2010526223.tif 000021
【図８】
2010526223.tif 000022
【国際調査報告】
2010526223.tif 000023
2010526223.tif 000024